(57)【要約】【課題】ＮＣブローチ研削盤において、自動的にブローチ工具の基準刃部、すくい面を検出し、ブローチ工具のテーブルへの取付作業、タッチセンサの設定作業を容易にする。【解決手段】基準すくい面３０をブローチ工具２の最後端とし、（Ａ）タッチセンサ４のプローブ４０を加工軸８線上の背面６側に位置決めし、これを検出開始位置７とし、（Ｂ）プローブを加工軸方向に相対移動させブローチ工具を回転又は揺動９させて、（Ｃ）検出した歯溝５１内の位置を検出位置１０とし、（Ｄ）回転方向を逆転９ａさせ、プローブの歯側面への接触信号により、回転方向を逆転９ｂし、これを繰り返し、（Ｅ）回転が所定角度を超えた位置でプローブを停止し、（Ｆ）該位置を基準すくい面の刃溝部１５とし、（Ｇ）ブローチ工具を所定角度ずつ間歇回転又は揺動させながら、プローブをすくい面側に前後移動させ、すくい面３０の位置を自動検出する。【選択図】        図６
2010089204.tif 000002
【特許請求の範囲】
【請求項１】
数値制御ブローチ研削盤に載置されたブローチ工具のすくい面を研削加工するための基準すくい面のタッチセンサによる位置検出方法において、前記基準すくい面を前記ブローチ工具の最大外径又は高さの最後端の刃部のすくい面とし、
（Ａ）前記タッチセンサのプローブを加工軸線上の前記最後端の刃部の背面側の前記最外径又は高さより低く、かつ前記ブローチ工具の歯溝内位置となるような高さの所定の位置に位置決めし、これを検出開始位置とし、
（Ｂ）前記プローブを加工軸線に沿って前記刃部の背面に向けて相対移動させ、かつ、前記ブローチ工具を回転又は揺動させて、
（Ｃ）前記プローブの接触信号を検出した位置を検出位置とし、
（Ｄ）前記加工軸線に沿ってさらにプローブを相対移動させるとともに、前記検出位置で、前記ブローチ工具の回転または揺動方向とは逆方向に回転させ、再度前記プローブの接触信号を検出した場合は、前記ブローチ工具の回転方向を逆転し、再度前記プローブの接触信号を検出した場合は、再度前記ブローチ工具を回転方向を逆転することを繰り返し、
（Ｅ）前記ブローチ工具の回転が所定角度を超えた位置で回転及び加工軸方向への相対移動を停止し、
（Ｆ）該位置を前記基準すくい面の刃溝部とし、
（Ｇ）前記ブローチ工具を所定角度ずつ間歇回転又は揺動させながら、前記プローブをすくい面側に前後移動させ、前記すくい面の位置を自動検出することを特徴とする数値制御ブローチ研削盤の基準すくい面の位置検出方法。
【請求項２】
前記（Ｅ）に記載の前記プローブが所定角度となった位置でプローブの相対移動を停止した後、前記ブローチ工具を少なくとも歯ピッチ円上で歯ピッチ以上の所定角度へ向けて回転させて、前記プローブが接触信号を検出したときに異常信号を出力し、前記プローブが接触信号を検出しないまま所定角度に達したときは、前記（Ｅ）記載の位置へ戻るようされていることを特徴とする請求項１に記載の数値制御ブローチ研削盤の基準すくい面の位置検出方法。
【請求項３】
前記（Ｇ）記載の前記ブローチ工具を間歇回転させながら、前記プローブをすくい面側に所定量前後移動させ、前記すくい面の位置を自動検出する方法において、
（Ｈ）前記プローブをすくい面側に所定量移動させ、所定量に達する前に前記プローブが接触信号を検出した場合は、前記プローブを戻し、前記ブローチ工具を所定角度回転させ、前記プローブをすくい面側に所定量移動させ、これを繰り返し、
（Ｉ）前記プローブが接触信号を検出することなく所定量に達した場合は、前記プローブを戻し、前記ブローチ工具をさらに、所定角度回転させ、前記プローブをすくい面側に所定量移動させ、これを繰り返し、
（Ｊ）所定量に達する前に前記プローブが接触信号を検出した場合は、この位置をを基準すくい面の一端として記録し、
（Ｋ）前記プローブを戻し、前記ブローチ工具を所定角度回転させ、前記プローブをすくい面側に所定量移動させ、所定量に達する前に前記プローブが接触信号を検出した場合は、前記プローブを戻し、前記ブローチ工具をさらに所定角度回転させ、再度前記プローブをすくい面側に所定量移動させ、これを繰り返し、
（Ｌ）再び、前記プローブが接触信号を検出することなく所定量に達した場合は、この位置を基準すくい面の他端として記録し、
（Ｍ）前記すくい面の一端と他端との中間位置を基準すくい面の中心として、位置決めすることを特徴とする請求項１又は２記載の数値制御ブローチ研削盤の基準すくい面の位置検出方法。
【発明の詳細な説明】
【技術分野】
【０００１】
本発明は、ブローチ刃溝のすくい面を自動研削する数値制御ブローチ研削盤の基準すくい面の位置を自動的に検出する基準すくい面の検出方法に関する。
【背景技術】
【０００２】
従来、数値制御ブローチ盤によりブローチ工具の刃溝のすくい面を研削することが行われている。研削にあたっては、研削するブローチの切れ刃の外径、切れ刃のピッチ、研削代等のブローチの各部のデータを数値制御装置（ＮＣ装置）に入力する。そして、この入力データを基に、ＮＣ装置からの制御信号によりサーボモータを駆動し、研削するブローチ工具が載置されたテーブル、砥石軸頭を上下左右、あるいはブローチ工具、砥石を回転させて、ブローチ工具の刃溝のすくい面を自動研削している。
【０００３】
かかるブローチデータは、設計図データや、ブローチ工具の刃部の位置を直接測定したデータ、あるいは、再研削時の取得データ等の一部あるいは全部を単独に又は組み合わせて使用している（例えば特許文献１）。
【０００４】
しかし、かかる場合においては、各すくい面のデータを活用するために、基準となるすくい面を確定しなければならない。そのためには、加工軸芯に対して、基準となるすくい面が中心になるようにブローチ工具をテーブルに載置する。次に、タッチセンサを手動で移動させながら基準となるすくい面近傍にタッチセンサのプローブを位置決めし、さらに、すくい面にプローブを当接させて、基準位置を検出測定する必要がある。
【０００５】
この基準すくい面を検出するためには、刃部とタッチセンサのプローブとの狭い空間を作業者がのぞき込むため、照明を必要としたり、位置が不正確になるなど、作業が大変で時間がかかっていた。また、ブローチ工具のテーブルの載置にあたっても、切れ刃が丸刃であれば位置決めは容易であるが、歯車列のような場合には、歯の中心位置合わせに苦労をしていた。さらに、近年は、デザインや研削液の飛散防止等の為、研削盤の一部や全体にカバーを設けているので、かかる設定作業は、さらにやりにくいものとなっている。
【０００６】
そこで、特許文献２においては、歯車等の歯部の位置検出するために、歯車を揺動又は回転させながら、タッチセンサのプローブを歯車軸芯に向かって移動させ、歯先を検出し、歯車外周とプローブとを接触させながら回転させ、歯溝位置を検出している。また、歯溝内方向にプローブを移動させ、さらに、揺動することにより、歯車の歯面を検出して、歯車の位相合わせ等を行い加工開始位置を検出している。さらに、特許文献３においては、曲がりかさ状歯車のような複雑な形状のものも、まがり歯特有の演算を加え、歯車の位相検出をおこなっている。
【０００７】
【特許文献１】特公平７−１０４８１号公報
【特許文献２】特許第２５７２１５５号公報
【特許文献３】特許第３７６０１０９号公報
【発明の開示】
【発明が解決しようとする課題】
【０００８】
しかし、特許文献２においては、測定歯車は一個の歯車であるので、タッチセンサの軸方向の測定位置決めは容易であり、特に開示されていない。また、特許文献３においては、タッチセンサの軸方向の測定位置は歯車諸元に応じて、計算であらかじめ設定されている（段落［００４３］後段及び図１１）。
【０００９】
これに対して、ブローチ工具の刃は、多数の歯を有する多数の刃列から構成されているので、特定の刃列を基準刃部として選択し、また、基準刃部の切れ刃のすくい面を決定する必要がある。また、ブローチ工具の刃部のランド幅、刃溝幅はブローチ工具長さを短くする等の理由で小さいものが多い。一方、ブローチ工具の研削盤への取付はブローチ工具両端部のセンタ穴にセンター押しをあてて行うので、軸方向の刃部の位置はバラツキがあり確定したものではない。従って、特許文献２，３のようにタッチセンサの開始位置を所定歯部に対応する位置へ設計諸元データ等から自動的に行うことはできないという問題があった。
【００１０】
また、使用済みブローチの再研削にあたっては、刃欠けや異常摩耗等が生じる場合がある。その場合に、自動検出した位置が異常摩耗や刃欠け等の部分でないことを検出する必要がある。
【００１１】
さらに、引用文献２，３のように、タッチセンサのプローブで歯先先端を擦ると、プローブが摩耗したり、バリ、刃欠け、ごみ等によるプローブやタッチセンサの破損を招くことになる。
【００１２】
本発明の課題は、かかる問題点に鑑みて、ブローチ工具をテーブルへ載置した後、自動的にブローチ工具の基準刃部を探し出し、さらに、基準すくい面を検出し、基準すくい面に基づいて、各刃部のすくい面位置を自動測定できるようにし、ブローチ工具のテーブルへの取付作業、タッチセンサの設定作業を容易にすることである。また、刃欠けや異常摩耗の影響を少なくすることである。さらには、タッチセンサのプローブの摩耗や破損を防止することである。
【課題を解決するための手段】
【００１３】
本発明においては、数値制御ブローチ研削盤に載置されたブローチ工具のすくい面を研削加工するための基準すくい面のタッチセンサによる位置検出方法において、前記基準すくい面を前記ブローチ工具の最大外径又は高さの最後端の刃部のすくい面とし、
（Ａ）前記タッチセンサのプローブを加工軸線上の前記最後端の刃部の背面側の前記最外径又は高さより低く、かつ前記ブローチ工具の歯溝内位置となるような高さの所定の位置に位置決めし、これを検出開始位置とし、
（Ｂ）前記プローブを加工軸線に沿って前記刃部の背面に向けて相対移動させ、かつ、前記ブローチ工具を回転又は揺動させて、
（Ｃ）前記プローブの接触信号を検出した位置を検出位置とし、
（Ｄ）前記加工軸線に沿ってさらにプローブを相対移動させるとともに、前記検出位置で、前記ブローチ工具の回転または揺動方向とは逆方向に回転させ、再度前記プローブの接触信号を検出した場合は、前記ブローチ工具の回転方向を逆転し、再度前記プローブの接触信号を検出した場合は、再度前記ブローチ工具を回転方向を逆転することを繰り返し、
（Ｅ）前記ブローチ工具の回転が所定角度を超えた位置で回転及び加工軸方向への相対移動を停止し、
（Ｆ）該位置を前記基準すくい面の刃溝部とし、
（Ｇ）前記ブローチ工具を所定角度ずつ間歇回転又は揺動させながら、前記プローブをすくい面側に前後移動させ、前記すくい面の位置を自動検出する数値制御ブローチ研削盤の基準すくい面の位置検出方法を提供することにより前述した課題を解決した。
【００１４】
即ち、最大外径又は高さの最後端の刃部のすくい面を基準すくい面とし、ブローチ工具を回転又は揺動させながら刃部の背面側からプローブを歯溝内の歯側面に接触させることにより、刃部を探りあてるようにした。これにより、プローブの検出開始位置はブローチ工具の後つかみ部等の加工軸方向に寸法的な余裕のある側となるので、精度の高い位置設定は不要である。
【００１５】
さらに、プローブが基準刃部の背面側歯溝の歯側面に接触した位置で回転又は揺動を停止し、検出位置とし、ブローチ工具の回転又は揺動方向を逆向きにして、プローブを加工軸方向に相対移動させながら、歯溝を形成する歯側面にプローブが接触したときのプローブの接触信号によりブローチ工具の回転方向を逆転するようにして、プローブにより歯溝の両歯側面を交互に検出するようにさせて、プローブが歯溝内を相対揺動しながら加工軸方向に相対移動するようにさせる。
【００１６】
同時にブローチ工具の回転角をチェックし、ブローチ工具の回転角が歯溝の回転角より大きく設定された所定角度の位置がプローブが歯溝を抜け出た位置、即ち刃部を通過した位置となる。この位置を基準すくい面の刃溝と推定することができ、基準すくい面を特定することができる。そこで、この位置で回転を停止させ、基準すくい面の刃溝部として検出する。なお、所定角度は大きい方が検出し易く、誤動作も少ない。しかし、所定角度が大きすぎたり、所定角度に対して、刃溝の幅が小さい場合（新品等）に、歯すじ方向の送り量が大きいと、次の刃部の歯にプローブが接触し、さらに、検出を続けてしまい、基準すくい面の刃溝部を検出できないおそれがある。従って、ブローチ工具の諸元、特に再研磨時の刃溝の大きさ等のデータに基づきブローチ工具の所定角度を設定することはいうまでもない。
【００１７】
さらに、プローブを軸方向に移動させるとすくい面に接触するので、すくい面の位置を特定することができる。プローブを加工軸方向に前後に移動させながらブローチ工具を間歇回転、揺動させることにより、回転角度に対するすくい面の位置を検出することができ、このデータを処理することにより基準すくい面の位置や歯の位相を特定することができる。より詳述すれば、例えば、引用文献２，３の場合は、歯先の上方から下方に向けてプローブを接近させ、歯先位置、歯溝位置、歯面位置等を検出し、歯車の位相を検出している。これと同様に、本発明においては、歯先に代えて歯端面（すくい面に相当）からアプローチすることにより、基準すくい面又は歯の位相、歯溝位置を検出することができる。
【００１８】
また、請求項２に記載の発明においては、前記（Ｅ）に記載の前記プローブが所定角度位置となった位置でプローブの相対移動を停止した後、、前記ブローチ工具を少なくとも歯ピッチ円上で歯ピッチ以上の所定角度へ向けて回転させて、前記プローブが接触信号を検出したときに異常信号を出力し、前記プローブが接触信号を検出しないまま所定角度に達したときは、前記（Ｅ）記載の位置へ戻るようにした。これにより、検出した部分が欠け等の損傷部である場合には、他の位置で他の損傷にない歯と接触することとなり、それを接触信号として検出した場合には、異常として判定することができる。所定角度の回転角は歯ピッチ円上で歯ピッチ以上に相当する角度であればよい。しかし、さらに、一回転させればより確実である。しかし、ブローチ工具の背面側は汚れ拭き取りにく、あるいは貯まりやすいのでその影響を避けるため、９０°〜１８０°程度で回転させるのが好ましい。
【００１９】
また、請求項３に記載の発明においては、前記（Ｇ）記載の前記ブローチ工具を間歇回転させながら、前記プローブをすくい面側に所定量前後移動させ、前記すくい面の位置を自動検出する方法において、
（Ｈ）前記プローブをすくい面側に所定量移動させ、所定量に達する前に前記プローブが接触信号を検出した場合は、前記プローブを戻し、前記ブローチ工具を所定角度回転させ、前記プローブをすくい面側に所定量移動させ、これを繰り返し、
（Ｉ）前記プローブが接触信号を検出することなく所定量に達した場合は、前記プローブを戻し、前記ブローチ工具をさらに、所定角度回転させ、前記プローブをすくい面側に所定量移動させ、これを繰り返し、
（Ｊ）所定量に達する前に前記プローブが接触信号を検出した場合は、この位置を基準すくい面の一端として記録し、
（Ｋ）前記プローブを戻し、前記ブローチ工具を所定角度回転させ、前記プローブをすくい面側に所定量移動させ、所定量に達する前に前記プローブが接触信号を検出した場合は、前記プローブを戻し、前記ブローチ工具をさらに所定角度回転させ、再度前記プローブをすくい面側に所定量移動させ、これを繰り返し、
（Ｌ）再び、前記プローブが接触信号を検出することなく所定量に達した場合は、この位置を基準すくい面の他端として記録し、
（Ｍ）前記すくい面の一端と他端との中間位置を基準すくい面の中心として、位置決めするようにした。
【００２０】
即ち、プローブを基準すくい面の刃溝で停止し、次に基準すくい面に対して、微少所定量プローブ前進、接触信号検出、プローブ後退、ブローチ工具回転を繰り返し基準すくい面を検出・確認しながら回転方向に移動させる。プローブが所定移動量の間に検出信号がなくなった位置でさらに、所定量プローブ前進、プローブ後退、ブローチ工具回転を接触信号を検出するまで繰り返す。そして、接触信号を検出した位置を基準すくい面の一端側の位相開始角度となり特定される。即ち、回転方向の位相が未確定の最初のすくい面及び歯溝を飛び越し、基準すくい面の一端の位置を特定できる。
【００２１】
さらに、基準すくい面に対して、微少所定量プローブ前進、接触信号検出、プローブ後退、ブローチ工具回転を繰り返し基準すくい面を検出・確認しながら回転方向に移動させる。プローブが所定移動量の間に検出信号がなくなった位置を基準すくい面の他端と特定できる。これにより、基準すくい面の幅を、即ち歯幅を回転角度で特定できる。従って、この回転角度の中央がすくい面の中心、即ち歯の中心として特定できることとなり、これをブローチ工具回転軸の基準角度として後の制御の基準とすることができる。また、一度所定量移動させ、歯溝であることを確認した後に、すくい面を特定するので、プローブの停止位置がすくい面（歯部）位置か歯溝位置か、を特定させる必要がない。なお、相対回転及び移動によりねじれ刃やはすば刃ブローチにも適用でき、種々のブローチの研削加工に応用できることはいうまでもない。
【発明の効果】
【００２２】
以上述べたように、本発明においては、ブローチ工具を回転又は揺動させながら刃部の背面側からプローブを歯溝の歯側面に接触させ刃部を探りあて、さらに、プローブを相対揺動及び加工軸方向の相対移動をさせて歯溝の両歯側面を検出・確認しながら移動させて、基準すくい面の刃溝部を特定する。さらに、プローブを軸方向に移動させてすくい面の位置を特定し、かつ、回転角度に対するすくい面の位置を検出し、データを処理することにより基準すくい面の位置や歯の位相を特定するという一連の動作を自動化することができるので、ブローチ工具をテーブルに載置した後、基準すくい面を自動的に特定できるものとなり、ブローチ工具のテーブルへの取付作業、プローブの設定作業が容易にものとなった。さらには、タッチセンサのプローブ先端と刃部とは、接触状態のまま移動することがないので、プローブ先端の摩耗や破損を減ずるものとなった。
【００２３】
また、請求項２に記載の発明においては、検出した部分が欠け等の損傷部である場合には、異常として検出することができるので、検出をそのまま続けて誤った測定や加工を防止できるものとなった。
【００２４】
さらに、請求項３に記載の発明においては、基準すくい面に対して、微少所定量プローブを前進、後退、ブローチ工具回転の繰り返しにより、基準すくい面の幅を回転角度で特定でき、ブローチ工具回転軸の基準角度として後の制御の基準とすることができるので、自動化が容易であり、さらに、前述したと同様に、タッチセンサのプローブ先端と刃部とは、接触状態のまま移動することがないので、プローブ先端の摩耗や破損を減ずるものとなった。
【発明を実施するための最良の形態】
【００２５】
本発明の実施の形態について図面を参照して説明する。本発明に用いるＮＣ（数値制御）ブローチ研削盤は一般的なものであり、また、主たる制御等についても特許文献１に記載のものと同様であるので簡単に説明する。図１は本発明にかかるＮＣブローチ研削盤の一実施例を示す正面図、図２は同右側面図、図３は砥石軸頭部の部分拡大正面図、図４は同部分拡大右側面図である。図１及び４において、ＮＣブローチ研削盤１は、ベッド３１の上面に形成されたスライドウエイ３２にテーブル３３が載置されており、ベッド３１上をテーブル３３が水平方向（図１でみて左右方向）に動くようにされている。水平テーブル３３の両端にワークヘッド３４とテールストック３５が固定されワークヘッドの主軸３６はモータ３７によって回転するようになっている。ブローチ工具２はワークヘッド側のセンターとテールストック側のセンター３８によって挾持されてワークヘッド３４と共に、廻し金３９により回転を与えられる。
【００２６】
一方、ベッド３１の背面に形成されたスライドウエイ４１にコラム４２が取付けられており、コラムが上下するようになっている。コラム４２の上面にラム旋回台４３が載置され、ラム旋回台４３上に形成されたスライドウエイ４４にラム４５が図１の紙面に直交する方向（図２において左右方向）に移動可能に取付けられている。また、スライドウエイ４４及びラム４５はラム旋回台４３上で回転可能にされている。ラム４５のテーブル側先端４５ａには砥石軸頭４６が設けられ、砥石軸頭はラム４５の長手方向軸４５ｃに対して、揺動可能にされている。
【００２７】
図３，４に示すように、砥石軸頭４６の前面（図３でみて手前、図４でみて左側）にラム４５の長手方向軸４５ｃとはオフセット（芯違い）して直角方向に砥石軸４７が伸びており、その先端に砥石４８が取り付けられている。これにより、砥石軸頭４６は、図１でみて、上下、前後に相対移動可能にされ、さらに、砥石軸４７は長手方向軸４５ｃに対して揺動可能にされているので、テーブル３３に対して砥石を傾動可能にされている。また、ラム旋回台４３により、砥石軸頭４６の前後方向の移動軸を傾けることも可能にされている。
【００２８】
砥石軸頭４６の砥石軸４７の前面（図３でみて手前、図４でみて左側）には、さらに、タッチセンサ４が取り付けられている。タッチセンサ４は、スライダー４９により、砥石軸４７の軸方向に対して直角及び垂直方向に移動可能にされ、砥石軸４７に対して位置調整可能にされている。タッチセンサ４は先端に小球４０ａを有するプローブ４０を有しており、プローブが物体に接触すると接触信号を出力するようにされている。
【００２９】
かかるＮＣブローチ研削盤１においては、図示しない制御装置により、砥石軸頭４６はテーブル３３に対して、図１でみて上下、前後、傾動、さらには旋回方向に制御され、砥石軸４７及びタッチセンサ４（プローブ４０）の位置制御が可能とされている。さらに、制御装置により、テーブル３３の図１でみての左右移動制御、さらにはブローチ工具２の回転制御が可能とされている。
【００３０】
制御装置には記憶装置が設けられている。記憶装置には複数のブローチ工具の切刃のピッチ、刃数、外径、すくい角などブローチの諸元砥石の回転数のセット角など機械のセット条件を決めるデータ研削代、送り速度など研削条件を決めるデータが入力される。このデータ即ち指令により、縦断面が台形の砥石４８を回転させながら、前述した相対移動を組み合わせて砥石の位置を制御し、砥石先端の下底側（内側）４８ａをテーブル３３に載置されたブローチ工具２の刃溝のすくい面３、３０に押し当てすくい面を研削するようにされている。
【００３１】
かかるＮＣブローチ研削盤１によるブローチ工具２のすくい面の研削加工にあたって、基準となるすくい面３０を特定し、それを基準として、各すくい面位置を順次測定する。そして、かかるすくい面位置の測定データと、予め記憶装置に記憶されたデータ指令とを用いて、、前述の研削を一刃ずつ順次行う。本発明の実施の形態においては、タッチセンサ４によりこの基準となるすくい面３０位置を自動検出するものである。以下詳述する。説明にあたって、（Ａ）乃至（Ｍ）の符号は請求項及び明細書の項分けの符号に合わせてある。
【００３２】
本発明の実施の形態の説明で使用する被研削ブローチ工具２は、図１に示すように、内歯歯車の歯を加工するブローチ工具を例としたものである。ブローチ工具２は、前つかみ部２ａにつづき、円筒形の案内部２ｂ、漸次切刃が径または周方向に増大する切れ刃を有する多数の刃部２ｃが設けられている。さらに、最終的に多数の歯が円周方向に並ぶ仕上刃部２ｄを後端に備え、仕上げ刃部に続いて、仕上げ刃部の最外径より小径の後ろ案内部２ｅ、後ろつかみ部２ｆからなる。仕上げ刃部２ｄは１枚でも多数でもよいが、一番最後端が本発明の基準仕上げ刃５となる。かかる、ブローチ工具２においては、後端の仕上げ刃部のすくい面を基準すくい面３０とする。なお、本実施の形態においては、タッチセンサ４は砥石軸４７とは所定位置で固定され、砥石軸とは同じ動作となる。また、ラム旋回台４３は原位置に設定され、ラム４５は、ブローチ工具軸（加工軸）８とは直角方向となるようにされる。
【００３３】
まず、人手にて、ブローチ工具２の前つかみ部２ａのセンターをワークヘッド３４側のセンターに合わせ、後ろつかみ部２ｆのセンターをテールストック３５側のセンター３８に合わせて、両センター間ブローチ工具２を挾持する。さらに、ワークヘッド３４と共に、廻し金３９によりブローチ工具２が回転可能になるようセットする。
【００３４】
次に制御装置に自動検出を開始するよう指示する。以後自動で制御される。図５（ａ）乃至（ｃ）は本発明の実施の形態である基準すくい面を有する刃部を探しだす動作を示す説明図である。図５（ａ）、（ｂ）に示すように、（Ａ）砥石軸頭４６の位置を制御し、タッチセンサ４のプローブ４０位置が後ろ案内部２ｅの例えば中央部の所定位置データと一致するように、また、高さ方向位置が仕上げ刃部の最外径２１より小さく、後ろ案内部２ｅの外径より大きく、また、歯溝５１内にとなる高さとなる所定位置データと一致するように指示する。これにより、プローブ４０は、最後端の刃部５の背面側の最外径より低い所定の位置に位置決めされる。これを検出開始位置７として記憶する。即ち、多数が密に並ぶ刃列の軸方向寸法に対し、後ろ案内部２ｅの軸方向寸法は充分長いので、ブローチ工具２の取付誤差等があっても、精度を高く設定する必要がなく、刃列の読み違いが生じない。なお、後ろ案内部の他、後ろつかみ部２ｆ等でもよい。また、干渉する部分も少ないので誤動作も極小にできる。
【００３５】
次に、（Ｂ）プローブ４０の接触信号の有無を確認しながら、テーブル３３を右方向に移動（矢印１０ａ）させると同時に、ブローチ工具２を所定角の範囲で揺動（矢印９）させる。即ち、プローブ４０を加工軸８線に沿って刃部５の背面に向けて相対移動させ、かつ、ブローチ工具２を揺動（矢印９）させる。  次に、（Ｃ）に示すように、プローブ４０の接触信号があるまで、移動させ、プローブの接触信号を検出した位置を検出位置１０として記憶する。所定距離信号がない場合は異常信号として処理し、停止する。検出位置１０が基準となる刃部５の歯溝５１の後端となる。歯溝５１の一方の歯側面５１ａに接する。
【００３６】
次に、基準の刃溝部１５を探し出す。図７は本発明の実施の形態である基準すくい面の刃溝部を検出する動作を示す説明図である。なお、ブローチ工具２を揺動させているが、図７では説明のため、ブローチ工具側から見たプローブの動きを表すように図示している。図７に示すように、歯溝５１内を（Ｄ）加工軸線８に沿ってさらにプローブ４０を相対移動（矢印１０ｂ）させるとともに、プローブの接触信号を検出するまで、検出位置１０で、ブローチ工具の回転を逆方向に回転（矢印９ａ）させる（矢印１１）。回転角が歯溝幅に相当する角度（以下「歯溝幅角」という）を超えない範囲で、反対側の歯側面５１ｂにプローブが接触し、接触信号を検出する。この検出により、ブローチ工具の回転を逆方向に回転（矢印９ｂ、矢印１２）させる。回転角が歯溝幅角を超えない範囲で、反対側の歯側面５１ａに再度、プローブが接触し、接触信号を検出する。この検出により、再び、ブローチ工具の回転を逆方向に回転（矢印９ａ、矢印１３）させる。これを繰り返す。
【００３７】
回転角が歯溝幅角を超え、さらに、所定角度（歯ピッチ円上で歯ピッチ分となる角度）を超えると刃部５（歯溝部１５）からプローブ４０が外れていることとなる。そこで、（Ｅ）ブローチ工具の回転が所定角度（歯ピッチ円上で歯ピッチ）を超えた位置でプローブの回転及び加工軸方向への相対移動を停止する。
【００３８】
次に、プローブ４０を停止した後、ブローチ工具２を９０°回転（矢印９ａ）させて、プローブが接触信号を検出したときに異常信号を出力し、異常処理を行い停止する。刃欠け等の損傷がある場合に有効である。プローブ４０が接触信号を検出しないまま所定角度に達したときは、記憶した位置へ戻す（矢印９ｂ）。そして、（Ｆ）この位置を基準すくい面の刃溝部１５として記憶する。以上の動作により、基準すくい面３０の刃溝部１５位置が自動検出される。
【００３９】
次に、（Ｇ）ブローチ工具を間歇回転させながら、テーブルを左右動させ、プローブによりすくい面の位置を自動検出する。図７は本発明の実施の形態である基準すくい面を検出する動作を示す説明図である。即ち、図７（ａ）、（ｂ）に示すように、（Ｈ）テーブル３３を左方向に移動させ、プローブ４０をすくい面３０側に刃長分移動（矢印１７）させ、刃長に達する前にプローブが接触信号を検出した場合（矢印１７ａ）は、テーブルを右方向に（プローブを）戻し、ブローチ工具２をプローブの先端４０ａ径の半分回転させ、さらに、テーブルを左方向に（プローブをすくい面側）に刃長分移動（矢印１７）させ、これを繰り返し、図７（ａ）、（ｃ）に示すように、（Ｉ）プローブが接触信号を検出することなくテーブル移動量が刃長に達した場合（矢印１７ｂ）は、テーブルを右方向に戻し、ブローチ工具をさらに、回転させ、テーブルを左方向に移動させ、これを繰り返す。
【００４０】
図７（ａ）、（ｄ）に示すように、（Ｊ）再び、テーブル移動量が刃長に達する前にプローブ４０が接触信号を検出した場合は、この位置をを基準すくい面の一端１８として記憶する。
【００４１】
（Ｋ）テーブル３３を右方向に戻し、ブローチ工具２を回転させ、テーブルを左方向に移動させ、刃長に達する前にプローブが接触信号を検出した場合（矢印１７ｃ）は、テーブルを右方向に戻し、ブローチ工具をさらに回転させ、再度テーブルを左方向に移動させ、これを繰り返し、図７（ａ）、（ｃ）に示すように、（Ｌ）再び、プローブ４０が接触信号を検出することなく刃長に達した場合（矢印１７ｄ）は、この位置を基準すくい面の他端１９として記憶する。
【００４２】
以上の動作により、刃部５の歯の歯厚方向の位置が特定できる。従って、（Ｍ）前記すくい面の一端１８と他端１９との中間位置を基準すくい面３０の中心として、計算し、この位置となるようブローチ工具を回転固定することにより、測定基準となるブローチ工具の角度を決定できる。このように、ブローチ工具２の基準すくい面３０の軸方向の位置が特定され、基準すくい面の中心位置が割り出されるので、これを基準として、制御装置に記憶された、データを基に、各刃部のすくい面３を順次測定することが可能となる。なお、基準すくい面が特定された以降は、図８に示すように、所定の径のすくい面の位置や３０ａ、刃溝底部の位置（１５ａ）を測定し、従来の自動測定方法により各刃部のすくい面が測定可能となる。また、その結果による自動研削・再研削も従来の自動研削方法により研削可能であるので、説明を省略する。
【００４３】
なお、ブローチ工具がはすば歯車用のヘリカルブローチの場合は、刃部の歯すじ及びすくい面がねじれている。この場合には、ラム旋回台を旋回させ砥石軸頭を所定のねじれが加工できるように設定する。プローブを加工軸線方向に移動させるときは、テーブルの移動と同時にブローチを同期回転させ、結果として、プローブが歯すじの沿って移動するように制御すればよいが、本発明では、歯溝内を移動する場合は、ねじれの影響はないので、直線でよい。また、すくい面の検出にあたって、ブローチ工具の回転に同期して、テーブルを移動させ、すくい面の沿ってプローブがねじれ溝方向に移動するように制御すればよい。
【００４４】
また、実施の形態では、仕上げ刃が歯車状のものの例について述べたが、刃部の後部にバニシング刃をもつバニシング刃付きブローチ、刃部の前部または後部に丸刃をもつ丸刃付きブローチ、丸刃とスプライン刃などとを交互に配列した交互丸刃付きブローチ等に適宜適用できることはいうまでもない。最大径の歯部でかつ最後端を基準として探りだせばよいのである。また、本実施の形態にあたっては、ＮＣ研削盤は従来例を用いて説明したが、カバーで一部や全体を覆ったり、制御盤を別置きにしたり種々のものに適用できることはいうまでもない。
【図面の簡単な説明】
【００４５】
【図１】本発明にかかるＮＣブローチ研削盤の一実施例を示す正面図である。
【図２】本発明にかかるＮＣブローチ研削盤の一実施例を示す右側面図である。
【図３】本発明にかかるＮＣブローチ研削盤の一実施例を示す砥石軸頭部の部分拡大正面図である。
【図４】本発明にかかるＮＣブローチ研削盤の一実施例を示す砥石軸頭部の部分拡大右側面図である。
【図５】本発明の実施の形態である基準すくい面を有する刃部を探しだす動作を示す説明図である。
【図６】本発明の実施の形態である基準すくい面の刃溝を検出する動作を示す説明図である。
【図７】本発明の実施の形態である基準すくい面を検出する動作を示す（ａ）は説明図、（ｂ）は（ａ）のＡ−Ａ線、（ｃ）は（ａ）のＢ−Ｂ線、（ｄ）は（ａ）のＣ−Ｃ線又はＤ−Ｄ線の部分拡大断面図である。
【図８】本発明にかかる測定位置を示す部分拡大断面図である。
【符号の説明】
【００４６】
１    数値制御（ＮＣ）ブローチ研削盤
２    ブローチ工具
３    すくい面
４    タッチセンサ
５    刃部
６    背面
７    検出開始位置
８    加工軸
１０  （背面）検出位置
１５  基準すくい面の刃溝部
１８  基準すくい面の一端
１９  基準すくい面の他端
２１  最外径又は最外径高さ
３０  基準すくい面
４０  プローブ
５１  歯溝
【図１】
2010089204.tif 000003
【図２】
2010089204.tif 000004
【図３】
2010089204.tif 000005
【図４】
2010089204.tif 000006
【図６】
2010089204.tif 000007
【図７】
2010089204.tif 000008
【図８】
2010089204.tif 000009
【図５】
2010089204.tif 000010